(57)【要約】【課題】風圧が作用しても召し合わせ框間に隙間が生じにくい建具を提供する。【解決手段】引き違い方式により移動可能な複数の障子と、前記複数の障子にて閉塞可能な開口を形成し躯体に固定される合成樹脂製の枠体と、を有し、前記枠体は、前記開口の四周において、前記開口を閉塞した前記障子と係合する係合部を備え、前記複数の障子にて見込み方向に互いに対向する召合せ框同士は、互いに離れる方向への移動を規制し、前記枠体より剛性が高い規制部材を備えている。【選択図】図１３
2014122471.tif 000002
【特許請求の範囲】
【請求項１】
引き違い方式により移動可能な複数の障子と、
前記複数の障子にて閉塞可能な開口を形成し躯体に固定される合成樹脂製の枠体と、
を有し、
前記枠体は、前記開口の四周において、前記開口を閉塞した前記障子と係合する係合部を備え、
前記複数の障子にて見込み方向に互いに対向する召合せ框同士は、互いに離れる方向への移動を規制し、前記枠体より剛性が高い規制部材を備えていることを特徴とする建具。
【請求項２】
請求項１に記載の建具であって、
前記召合せ框同士は、互いに見込み方向に引き寄せるクレセント錠を有し、
前記規制部材は、前記クレセント錠と上下方向に間隔を隔てた位置に設けられていることを特徴とする建具。
【請求項３】
請求項１または請求項２に記載の建具であって、
前記枠体は、前記開口を囲むように設けられた中空部内に不燃性また難燃性の補強部材が設けられており、
前記規制部材は、不燃性また難燃性の材料にて形成されていることを特徴とする建具。
【請求項４】
請求項１乃至請求項３のいずれかに記載の建具であって、
前記係合部と、前記係合部と係合する前記障子との間には、加熱された際に発泡する熱膨張性黒鉛が設けられており、
前記複数の障子は、前記召合せ部に不燃性または難燃性のフック部材を備えており、
前記枠体の前記開口の上に位置する部位には、前記フック部材と係合して前記複数の障子を各々吊り下げる、不燃性または難燃性の吊り下げ部材が設けられていることを特徴とする建具。
【請求項５】
請求項１乃至請求項４のいずれかに記載の建具であって、
前記枠体にて前記開口の下に位置する部位には、前記複数の障子が前記開口を閉塞した状態における召合せ部の、
見付け方向における一方側に見付け方向に沿って設けられ前記障子を案内する第１案内部と、
見付け方向における他方側に見付け方向に沿って設けられ前記障子を案内する第２案内部と、
前記第１案内部と前記第２案内部との間を繋ぎ、不燃性または難燃性の中継部材を備え、
前記規制部材は、前記召合せ部において見込み方向にて隣り合う２枚の障子のうち、前記中継部材により見込み方向の移動が規制された一方の前記障子により、他方の前記障子の見込み方向における移動を規制することを特徴とする建具。
【発明の詳細な説明】
【技術分野】
【０００１】
本発明は、引き違い障子を案内する合成樹脂製の枠体を備えた建具に関する。
【背景技術】
【０００２】
引き違い障子を案内する合成樹脂製の枠体としては、例えば、建物等にて室内外を連通する開口を形成する枠体に支持されるとともに見付け方向に移動して開口を閉塞可能な２枚の障子を有する樹脂製建具が知られている（例えば、特許文献１参照）。この樹脂製建具の枠体を形成する上枠、下枠、縦枠、及び、障子を形成する上框、下框、戸先框は同一の断面形状をなす押出成形部材である。そして、開口を閉塞するように障子が閉じられた状態では、上枠、下枠、縦枠から開口の内周側に突出された突出部が、上框、下框、戸先框に設けられ障子の外周側に向かって開放された溝部に挿入されている。
【先行技術文献】
【特許文献】
【０００３】
【特許文献１】特開２０１０−２６５６４６号公報
【発明の概要】
【発明が解決しようとする課題】
【０００４】
上記のような建具は、障子が開口を閉塞しているときには、上框、下框、戸先框の溝部に枠体の突出部が各框の全域に渡って挿入されているので、障子に風圧等が作用したとしても、上框、下框、戸先框は見込み方向に移動しにくいので、障子を枠体との間には隙間は生じにくい。しかしながら、引き違い障子の召合せ部においては、規制されていないので、風圧が作用すると見込み方向に隣接する障子間に隙間が生じてしまうおそれがあるという課題がある。
【０００５】
本発明は、かかる課題に鑑みてなされたものであり、その目的とするところは、風圧が作用しても召し合わせ框間に隙間が生じにくい建具を提供することにある。
【課題を解決するための手段】
【０００６】
かかる目的を達成するために本発明の建具は、引き違い方式により移動可能な複数の障子と、前記複数の障子にて閉塞可能な開口を形成し躯体に固定される合成樹脂製の枠体と、を有し、前記枠体は、前記開口の四周において、前記開口を閉塞した前記障子と係合する係合部を備え、前記複数の障子にて見込み方向に互いに対向する召合せ框同士は、互いに離れる方向への移動を規制し、前記戸先框より剛性が高い規制部材を備えていることを特徴とする建具である。
【０００７】
このような建具によれば、障子が開口を閉塞しているときには、開口の四周において枠体と障子とが係合している。すなわち、障子を閉じた際に障子の枠体に沿う部位と枠体とが枠体の長手方向に沿う広い範囲で係合しているので、枠体と障子との間では隙間が生じない。また、障子が有する召合せ框同士は、見込み方向において互いに離れる方向への移動が、当該戸先框より剛性が高い規制部材にて規制されているので、単に召合せ框同士が係合する場合より、召合せ框同士の間に隙間は生じにくい。このため、たとえ、障子に風圧等が作用したとしても、召し合わせ框間に隙間が生じにくい建具を提供することが可能である。
【０００８】
かかる建具であって、前記召合せ框同士は、互いに見込み方向に引き寄せるクレセント錠を有し、前記規制部材は、前記クレセント錠と上下方向に間隔を隔てた位置に設けられていることが望ましい。  
このような建具によれば、引き違い障子の召合せ框同士が、クレセント錠と、規制部材とにより見込み方向の移動が規制されるので、風圧にてより隙間が生じ難い建具を提供することが可能である。特に、クレセント錠と規制部材との間隔が隔てられているので、長い召合せ框の間を効果的に隙間が生じることを防止することが可能である。
【０００９】
かかる建具であって、前記枠体は、前記開口を囲むように設けられた中空部内に不燃性または難燃性の補強部材が設けられており、前記規制部材は、不燃性また難燃性の材料にて形成されていることが望ましい。  
このような建具によれば、枠体の中空部に設けられた不燃性または難燃性の補強部材により、たとえ火炎等に晒されて加熱されても合成樹脂製の枠体をより長く留めて、枠体と障子との間に隙間が生じることを抑えることが可能である。また、規制部材も不燃性また難燃性の材料にて形成されているので、たとえ火炎等に晒されて加熱されても、召合せ框同士の間も隙間が生じることを抑えることが可能である。
【００１０】
かかる建具であって、前記係合部と、前記係合部と係合する前記障子との間には、加熱された際に発泡する熱膨張性黒鉛が設けられており、前記複数の障子は、前記召合せ部に不燃性または難燃性のフック部材を備えており、前記枠体の前記開口の上に位置する部位には、前記フック部材と係合して前記複数の障子を各々吊り下げる、不燃性または難燃性の吊り下げ部材が設けられていることが望ましい。  
このような建具によれば、建具が火炎等に晒されて加熱された場合には、障子と係合部との間に設けられた熱膨張性黒鉛が発泡することにより、障子と係合部との係合状態が維持され、また、障子は、枠体に設けられた吊り下げ部材にフック部材が係合するので枠体に吊り下げられる。このため、建具が火災等により加熱されて枠体及び障子の外周部が溶融されても障子を保持することが可能である。
【００１１】
かかる建具であって、前記枠体にて前記開口の下に位置する部位には、前記複数の障子が前記開口を閉塞した状態における召合せ部の、見付け方向における一方側に見付け方向に沿って設けられ前記障子を案内する第１案内部と、見付け方向における他方側に見付け方向に沿って設けられ前記障子を案内する第２案内部と、前記第１案内部と前記第２案内部との間を繋ぎ、不燃性または難燃性の中継部材を備え、前記規制部材は、前記召合せ部において見込み方向にて隣り合う２枚の障子のうち、前記中継部材により見込み方向の移動が規制された一方の前記障子により、他方の前記障子の見込み方向における移動を規制することが望ましい。  
このような建具によれば、見付け方向における一方側に見付け方向に沿って設けられて障子を案内する第１案内部と、見付け方向における他方側に見付け方向に沿って設けられて障子を案内する第２案内部とが、不燃性または難燃性の中継部材にて繋がっているので、たとえ、建具が火炎に晒されて加熱され第１案内部及び第２案内部が溶融したとしても、召合せ部には中継部材が残存する。また、中継部材が残存するので、中継部材に対し火元と反対側に位置する障子の火元側への移動が規制される。このため、召合せ框同士にて離れる方向への移動を規制する規制部材が召合せ框の下端側に設けられていると、中継部材に規制された障子に、火元側に位置する障子が規制部材により規制されるので、召合せ框間の間隔が開くことなく維持される。このため、火災などにて加熱されても、召し合わせ框間に隙間がより生じにくい建具を提供することが可能である。
【発明の効果】
【００１２】
本発明によれば、風圧が作用しても召し合わせ框間に隙間が生じにくい建具を提供することが可能である。
【図面の簡単な説明】
【００１３】
【図１】本実施形態に係る建具を室内側から見た外観図である。
【図２】本実施形態に係る建具を示す縦断面図である。
【図３】建具の上部側を示す縦断面図である。
【図４】建具の下部側を示す縦断面図である。
【図５】本実施形態に係る建具を示す横断面図である。
【図６】建具の左端側を示す横断面図である。
【図７】建具の右端側を示す横断面図である。
【図８】建具の召合せ部を示す横断面図である。
【図９】上枠の召合せ部の構成を示す斜視図である。
【図１０】中継部材及び吊り下げ部材が設けられた上枠を下方から見た図である。
【図１１】枠体の入り隅部の構成を示す斜視図である。
【図１２】枠体の入り隅部における吊り下げ金具と係合片との取り合いを示す縦断面図である。
【図１３】建具の召合せ部の下端側を示す横断面図である。
【図１４】内障子の内規制部材を示す斜視図である。
【図１５】外障子の外規制部材を示す斜視図である。
【図１６】建具の変形例を示す縦断面図である。
【発明を実施するための形態】
【００１４】
以下、本発明の一実施形態に係る建具について図面を参照して説明する。
【００１５】
本実施形態では、屋内外の境界に設けられ、図１〜図８に示すような引き違い方式の建具を例に挙げて説明する。
【００１６】
本実施形態の建具１は、引き違い方式にて移動可能な２枚の障子３、４と、躯体２に取り付けられて２枚の障子３、４にて閉塞可能な開口１０ａを形成する合成樹脂製の枠体１０とを有している。
【００１７】
以下の説明においては、躯体２の取り付けられた建具１を室内側から見たときに、上下となる方向を上下方向、左右となる方向を左右方向または見付け方向、室内外方向である奥行き方向を見込み方向として示す。また、建具１を構成する各部材については、枠体１０の面内方向において開口１０ａの中央側を内周側、開口１０ａの外側を外周側として示す。
【００１８】
枠体１０は、同一の断面形状をなす合成樹脂製の４本の押出成形部材が上枠１１、下枠１２、左枠１３及び右枠１４をなし、矩形状に枠組みされている。上枠１１、下枠１２、左枠１３及び右枠１４は、図１に示すように、各々所定の長さにて端部が４５度に切断され、互いに突き合わされて溶着されている。
【００１９】
上枠１１、下枠１２、左枠１３及び右枠１４は、同一の断面形状をなしているので、ここでは、上枠１１、下枠１２、左枠１３及び右枠１４の構造について、主に上枠１１を例に挙げて説明する。また、以下の説明及び図面においては、下枠１２、左枠１３及び右枠１４において上枠１１と同一の部位には、各々下枠１２及び各縦枠１３、１４を示す番号の後に同一のアルファベット添えた符号を付して示すものとする。
【００２０】
上枠１１は、図２、図３に示すように、見付け方向に貫通し見込み方向に並べて設けられた３つの中空部を有する枠本体部１１ａと、枠本体部１１ａをなし開口１０ａの中央側に臨む平面を有する本体内板部１１ｂと、本体内板部１１ｂの室内側の端から下方に垂設された内壁部１１ｃと、本体内板部１１ｂの室外側の端から下方に垂設された外壁部１１ｄと、内壁部１１ｃと外壁部１１ｄとの間を見込み方向において２つの領域に仕切る中央壁部１１ｅと、枠本体部１１ａの上面１１ｆに設けられて躯体２に固定される躯体固定部１１ｇと、内壁部１１ｃの室内に臨む面に設けられて内装材としての額縁５に固定される内装材固定部１１ｈと、を有している。
【００２１】
内壁部１１ｃと中央壁部１１ｅと本体内板部１１ｂとから形成され、上方に窪む室内側溝部１１ｉに内障子３の上端部が収容されて、内障子３の見付け方向への移動が案内され、外壁部１１ｄと中央壁部１１ｅと本体内板部１１ｂとから形成され、上方に窪む室外側溝部１１ｊに外障子４の上端部が収容されて、外障子４の見付け方向への移動が案内される。本実施形態においては、室内側溝部１１ｉ及び室外側溝部１１ｊを、枠体１０が備え、開口１０ａの四周において、開口１０ａを閉塞した障子３、４と係合する係合部に相当する。
【００２２】
枠本体部１１ａが有し本体内板部１１ｂの上方に位置する３つの中空部は、見込み方向において中央に位置する中央中空部１１ｋが、室内側及び室外側の端中空部１１ｎより大きく形成されている。中央中空部１１ｋは、本体内板部１１ｂを挟んで下側に設けられた室内側溝部１１ｉと室外側溝部１１ｊとの上方に渡って設けられている。
【００２３】
躯体固定部１１ｇは、中央中空部１１ｋの上方に突出されたヒレ状をなす部位であり、内装材固定部１１ｈは、枠本体部１１ａの本体内板部１１ｂより開口１０ａの中央側にて内壁部１１ｃから室内側に突出されたヒレ状をなす部位である。本実施形態においては、躯体固定部１１ｇは、中央中空部１１ｋの室内側に偏らせて設けられている。
【００２４】
中央中空部１１ｋの本体内板部１１ｂと対向して上方に位置する本体外板部１１ｌには、中央中空部１１ｋの内側に窪む凹部１１ｍが、中央中空部１１ｋの室内側に偏った位置に設けられている。この凹部１１ｍには、中央中空部１１ｋ内に設けられる不燃性である金属製の枠側補強部材２０と本体外板部１１ｌを介して接合されるとともに、躯体固定部１１ｇとともに躯体２にビス止めされて躯体２と枠側補強部材２０とを連結する連結金具２１の補強材接合部２１ａ及び枠側補強部材２０とを接合するビスの頭部が収容される。
【００２５】
枠側補強部材２０は、本体外板部１１ｌの、凹部１１ｍを形成している部位の下面と対向する上対向部２０ａと、本体内板部１１ｂの見込み方向におけるほぼ全域と対向する下対向部２０ｂとの室内側の端部同士が上下に接合された断面形状をなしている。ここで、連結金具２１の見付け方向の幅は、ビス止め可能な程度の幅、すなわち、上枠１１の見付け方向の幅より十分狭く形成されており、枠側補強部材２０は、上枠１１の見付け方向のほぼ全域に渡って設けられている。
【００２６】
上枠１１及び下枠１２の中央壁部１１ｅ、１２ｅは、障子３、４にて開口１０ａが閉塞されたときに、障子３、４の召合せ框３４、４４が見込み方向に対向している召合せ部１０ｂに位置する部位が切除されている。この切除された部位には、分断された中央壁部１１ｅ、１２ｅが繋がるように不燃性であるアルミダイカスト製の中継部材２２が取り付けられる。ここで、中央壁部１１ｅ、１２ｅが切除された位置に対し、見付け方向において、いずれか一方の中央壁部１１ｅ、１２ｅが第１案内部に相当し、他方の中央壁部１１ｅ、１２ｅが第２案内部に相当する。
【００２７】
中継部材２２は、召合せ部１０ｂの本体内板部１１ｂ、１２ｂを介して枠側補強部材２０にビス止めされる。このとき、上枠１１に取り付けられる中継部材２２は、障子３、４が火炎等により加熱されて溶融した場合であっても、障子３、４を吊り下げて保持することができるように設けられる不燃性の吊り下げ部材としての吊り下げ金具２３とともにビス止めされる。また、中継部材２２と吊り下げ金具２３とが本体内板部１１ｂを介してビス止めされた枠側補強部材２０と本体内板部１１ｂとの間には、熱発泡性耐火材としての熱膨張性黒鉛３８が設けられている。
【００２８】
中継部材２２は、図９に示すように、上枠１１及び下枠１２に固定される枠固定部２２ａと、枠固定部２２ａの見込み方向の中央から突出される中継本体部２２ｂとを有しており、中継本体部２２ｂの先端に合成樹脂製の風止め部材２４が嵌合される風止め部材嵌合部２２ｃが設けられている。また、中継部材２２の中継本体部２２ｂには、上枠１１側に取り付けられた状態にて、室内及び室外に臨む面に熱膨張性黒鉛３８が設けられている。
【００２９】
中継部材２２は、上枠１１及び下枠１２に固定されると、召合せ部１０ｂにて分断された中央壁部１１ｅ、１２ｅの一方側と他方側とが中継本体部２２ｂにて繋がり、風止め部材２４が中央壁部１１ｅ、１２ｅより開口１０ａの中央側に突出するように構成されている。
【００３０】
上枠１１に固定される中継部材２２の枠固定部２２ａは、中継本体部２２ｂが設けられている中央部２２ｄが、当該中央部２２ｄより、室内側及び室外側に位置し固定用ビスの貫通穴２２ｅが設けられた脇部２２ｆより厚く形成されている。このため、中央部２２ｄが上枠１１に当接されると、脇部２２ｆと上枠１１との間に空隙が生じるように形成されている。この空隙に吊り下げ金具２３の固定部２３ａが介在されてビス止めされるように構成されている。
【００３１】
吊り下げ金具２３は、中継部材２２が有する枠固定部２２ａの脇部２２ｆと上枠１１との間の空隙に介在される固定部２３ａと、固定部２３ａから垂設され中央壁部１１ｅと見込み方向に間隔を隔てて対向する対向壁部２３ｂと、対向壁部２３ｂの下端に設けられ、障子３、４に設けられた不燃性のフック部材としてのフック金具３６と係合される鉤状部２３ｃとを有している。
【００３２】
吊り下げ金具２３の対向壁部２３ｂは、上枠１１に取り付けられたときに室内側溝部１１ｉ及び室外側溝部１１ｊの見込み方向の中央より僅かに内壁部１１ｃ及び外壁部１１ｄ側に偏って配置されるように形成され、鉤状部２３ｃが室内側溝部１１ｉ及び室外側溝部１１ｊの見込み方向のほぼ中央に位置するように形成されている。吊り下げ金具２３は、鉤状部２３ｃが、中央壁部１１ｅとほぼ同じ位置まで下方に突出されており、鉤状部２３ｃと中央壁部１１ｅとが見込み方向において互いに間隔を隔てるように取り付けられる。また、各吊り下げ金具２３の対向壁部２３ｂの中央壁部１１ｅに臨む面にはそれぞれ熱膨張性黒鉛３８が設けられている。このため、召合せ部１０ｂにおいては、室内側溝部１１ｉと室外側溝部１１ｊとは、中継部材２２に設けられた熱膨張性黒鉛３８と吊り下げ金具２３に設けられた熱膨張性黒鉛３８とが対向している。
【００３３】
吊り下げ金具２３の見付け方向の幅は、図１０に示すように、中継部材２２の見付け方向の幅より広く形成されており、中継部材２２の固定部２３ａと重なる部位から繋がって、吊り下げられる障子３、４の戸先側に延出されている。
【００３４】
上枠１１の室内側溝部１１ｉ及び室外側溝部１１ｊには、障子３、４にて開口１０ａを閉塞した状態の内障子３と外障子４の戸先框３３、４３の上方にも、左枠１３及び右枠１４の本体内板部１１ｂに当接させて、他の吊り下げ部材としての吊り下げ金具２３が各々設けられている。戸先側に設けられた吊り下げ金具２３は、召合せ部１０ｂに設けられた吊り下げ金具２３と見込み方向における位置を合わせて配置されている。
【００３５】
下枠１２の室内側溝部１１ｉ及び室外側溝部１１ｊには、図４に示すように、内障子３及び外障子４に設けられた戸車６０が載置されて内障子３及び外障子４を案内するレール１５ａを備えたレール部材１５が下枠１２の全長に渡って設けられている。レール部材１５は、アルミニウム製の押出成形部材である。
【００３６】
左枠１３の中央中空部１３ｋには、図６に示すように、上枠１１と同様に枠側補強部材２０が設けられており、左枠１３は、連結金具２１により、中央中空部１３ｋ内に設けられた枠側補強部材２０と本体外板部１３ｌを介して接合され、躯体固定部１３ｇとともに躯体２にビス止めされて躯体２と枠側補強部材２０とが連結されている。
【００３７】
左枠１３が有する室外側溝部１３ｊには、外障子４と係合する不燃性である金属製の係合部材２５が設けられており、本体内板部１３ｂを介して中央中空部１３ｋ内の枠側補強部材２０にビス止めされている。
【００３８】
右枠１４が有する室内側溝部１４ｉには、図７に示すように、内障子３と係合する金属製の係合部材２５が設けられており、本体内板部１４ｂを介して室内側の端中空部１４ｎ内に設けられた固定プレート２６にビス止めされている。固定プレート２６は、端中空部１４ｎ内に収容可能な金属製の平板であり、係合部材２５を固定するビスが螺合可能な幅を有している。左枠１３に設けられた係合部材２５は、係合片２５ａの先端は、外壁部１３ｄ及び中央壁部１３ｅの先端とほぼ同じ位置まで突出しており、右枠１４に設けられた係合部材２５は、係合片２５ａの先端は、内壁部１４ｃ及び中央壁部１４ｅの先端とほぼ同じ位置まで突出している。
【００３９】
係合部材２５は、断面形状がＬ字状をなすアルミニウム製の部材であり、左枠１３に固定される係合部材２５と右枠１４に固定される係合部材２５とは同一の部材である。係合部材２５は、内障子３または外障子４と係合する係合片２５ａと、係合片２５ａと直交し左枠１３及び右枠１４に当接される固定片２５ｂとがＬ字状をなすように形成されている。
【００４０】
係合部材２５は、本体内板部１３ｂ、１４ｂを介して固定片２５ｂが枠側補強部材２０または固定プレート２６にビス止めされると、係合片２５ａが室外側溝部１３ｊまたは室内側溝部１４ｉにて見込み方向におけるほぼ中央にて開口１０ａの中央側に向かって突出するように配置される。固定された係合部材２５における係合片２５ａの室内側の面及び室外側の面には、それぞれ熱膨張性黒鉛３８が、長手方向における全域に渡って設けられている。
【００４１】
また、係合部材２５が左枠１３及び右枠１４に固定された状態にて、図１１、図１２に示すように、各係合部材２５の上縁が、上枠１１において見付け方向における端部に設けられた吊り下げ金具２３の下縁に当接されるように構成されている。このため、吊り下げ金具２３及び係合部材２５を取り付けることにより、上枠１１と左枠１３及び右枠１４の上端側の接合部となる入り隅部に吊り下げ金具２３及び係合部材２５とでなる金属製の壁が形成される。
【００４２】
躯体２にそれぞれビス止めされた躯体固定部１１ｇ、１２ｇ、１３ｇ、１４ｇには、図２〜図７に示すように、躯体２と躯体固定部１１ｇ、１２ｇ、１３ｇ、１４ｇとに跨り、かつ、長手方向における全域に渡って両面防水テープ５３を貼り付け、さらに透湿防水シート５５、胴縁５４、外壁材としてのサイディング材５６、見切り縁５７等を設けるとともにバックアップ材５８及びシーリング５９を施して外壁９が形成される。また、室内側には躯体２に固定された内装材としての額縁５に内装材固定部１１ｈ、１２ｈ、１３ｈ、１４ｈが固定される。
【００４３】
内障子３及び外障子４は、矩形状に框組みされた框体３５、４５と、框体３５、４５にて囲まれた領域に設けられる複層ガラス７と、複層ガラス７を室外側から押さえる押縁８、とを有している。また、内障子３の召合せ框３４には、上下方向にける中央付近に障子３、４を施錠するためのクレセント錠５０が設けられており、外障子４の召合せ框３４には、クレセント錠５０と係合する受け部材５１が設けられている。
【００４４】
框体３５、４５は、同一の断面形状をなす合成樹脂製の３本の押出成形部材が上框３１、４１、下框３２、４２、及び、戸先框３３、４３と、断面形状が異なる合成樹脂製の召合せ框３４、４４とを有している。上框３１、４１、下框３２、４２、戸先框３３、４３、及び、召合せ框３４、４４は、各々長手方向に貫通する框体中空部３５ａ、４５ａを有する框本体３５ｂ、４５ｂを有しており、框本体３５ｂ、４５ｂの室内側の端部から長手方向における全域に渡って内周側に突出させた内側突出部３５ｃ、４５ｃが設けられ、框本体３５ｂ、４５ｂの室外側の端部には框体中空部３５ａ、４５ａ内に窪み押縁８が嵌合される嵌合凹部３５ｄ、４５ｄが設けられている。
【００４５】
そして、上框３１、４１、下框３２、４２、戸先框３３、４３、及び、召合せ框３４、４４は、各々所定の長さにて端部が４５度に切断され、共通に設けられている框本体３５ｂ、４５ｂと、内側突出部３５ｃ、４５ｃとが、互いに突き合わされて溶着されている。上框３１、４１、下框３２、４２、戸先框３３、４３、及び、召合せ框３４、４４は、溶着される際に、各框体中空部３５ａ、４５ａ内には、不燃性である金属製の框側補強部材２７が収容される。各框体中空部３５ａ、４５ａ内に収容された框側補強部材２７には、框側補強部材２７の見付け方向に沿う部位の室内側及び室外側面に、框側補強部材２７の全長に渡って熱膨張性黒鉛３８が設けられている。
【００４６】
各框体中空部３５ａ、４５ａ内に収容された框側補強部材２７は、框体３５、４５の内周側、すなわち、上框３１、４１、下框３２、４２、戸先框３３、４３、及び、召合せ框３４、４４の框本体３５ｂ、４５ｂより内周側にて複層ガラス７を保持する保持金具２８とビス止めされている。保持金具２８に保持された複層ガラス７の全周と上框３１、４１、下框３２、４２、戸先框３３、４３、及び、召合せ框３４、４４との間に設けられている熱膨張性黒鉛３８は保持金具２８と複層ガラス７との間にも設けられている。
【００４７】
上框３１、４１、下框３２、４２、及び、戸先框３３、４３の外周側には、框本体３５ｂ、４５ｂの室内側及び室外側から外側に突出する内側外周突部３５ｅ、４５ｅ及び外側外周突部３５ｆ、４５ｆが見込み方向において互いに間隔を隔てて設けられている。すなわち、上框３１、４１、下框３２、４２、及び、戸先框３３、４３の外周側には、框本体３５ｂ、４５ｂ、内側外周突部３５ｅ、４５ｅ及び外側外周突部３５ｆ、４５ｆにて、框体３５、４５の内周側に窪む框側溝部３５ｇ、４５ｇが設けられている。
【００４８】
上框３１、４１、下框３２、４２、及び、戸先框３３、４３が有する各框側溝部３５ｇ、４５ｇの内周面には、遮炎金具２９が長手方向における全域に設けられ、各框体中空部３５ａ、４５ａ内に収容された框側補強部材２７とビス止めされている。また、上框３１、４１の框側溝部３５ｇ、４５ｇ内には、上框３１、４１の見付け方向における両端部に位置させて、上枠１１に設けられた吊り下げ金具２３と対向する位置に、吊り下げ金具２３の鉤状部２３ｃと係合可能なフック部３６ａを有するフック金具３６が、遮炎金具２９とともに框側補強部材２７とビス止めされている。すなわち、内障子３及び外障子４の上端側において、召合せ側と戸先側とにそれぞれフック金具３６が設けられており、戸先側に設けられたフック金具３６が他のフック部材に相当する。
【００４９】
吊り下げ金具２３とフック金具３６とは、通常は互いに接触および係合することなく間隔を隔てて移動している。そして、内障子３及び外障子４にて開口１０ａを閉塞した状態にて、火炎等により枠体１０及び框体３５に軟化及び溶融等が生じて内障子３及び外障子４が降下したときに、吊り下げ金具２３とフック金具３６とが係合して、内障子３及び外障子４が保持されるように構成されている。
【００５０】
框側溝部３５ｇ、４５ｇ内に設けられた遮炎金具２９には、框本体３５ｂ、４５ｂにビス止めされた面に、熱膨張性黒鉛３８が上框３１、４１、下框３２、４２、及び、戸先框３３、４３の全域に渡って設けられている。また、内障子３及び外障子４の戸先框３３、４３の遮炎金具２９の内側には引寄部材３７が設けられており、内障子３及び外障子４にて開口１０ａを閉塞したときに、左枠１３及び右枠１４に取り付けられた係合部材２５の係合片２５ａが戸先框３３、４３の框側溝部３５ｇ、４５ｇに挿入され、框側溝部３５ｇ、４５ｇ内にて係合片２５ａと引寄部材３７とが係合する。
【００５１】
内障子３の召合せ框３４には、図１３に示すように、框体中空部３５ａを有する框本体３５ｂを形成し、内障子３の戸尻側の外周面をなす内戸尻壁３５ｈが室外側に延出され、延出された先端が内障子３の戸先側に延出されて、框本体３５ｂを形成する外側壁部３５ｉと見込み方向に間隔を隔てて対向する内召合せ片３５ｊが設けられている。内障子３の内召合せ片３５ｊの下側には、内召し合わせ片３５ｊの下端に、上端が当接されて上下方向に繋がるように配置された内規制部材６２が設けられている。
【００５２】
内規制部材６２は、図１４に示すように、内戸尻壁３５ｈに当接されて固定される内固定片６２ａと、内固定片６２ａの一方の端から直角をなすように延出された内規制片６２ｂとを有する鉄製の部材である。内規制部材６２は、内障子３の召合せ框３４の框体中空部３５ａ内に設けられた鉄製の裏板６３に、内戸尻壁３５ｈを介すとともに、内規制部材６２の外周側に設けられる内摺動片６４とともにビスにて固定されている。
【００５３】
外障子４の召合せ框４４には、図１３に示すように、框体中空部４５ａを有する框本体４５ｂの室外側に延出され、延出された先端が外障子４の戸先側に延出されて、框本体４５ｂを形成する内側壁部４５ｈと見込み方向に間隔を隔てて対向する外召合せ片４５ｉが設けられている。
【００５４】
外内障子４の内召合せ片４５ｉの下側には、図１５に示すように、外召し合わせ片４５ｉの下端に、上端が当接されて上下方向に繋がるように配置された外規制部材６５が設けられている。外規制部材６５は、内側壁部４５ｈに当接されて固定される外固定片６５ａと、外固定片６５ａの一方の端から直角をなすように延出されて見込み方向に突出する突出部６５ｂと、突出部の６５ｂの先端から外固定片６５ａと反対に延出された外規制片６５ｃと、を有する鉄製の部材である。外規制部材６５は、外障子４の召合せ框４４の框体中空部４５ａ内に設けられた框側補強部材２７にビスにて固定されている。外障子４の召合せ框４４には、框体中空部４５ａを有する框本体４５ｂを形成し、外障子４の戸尻側の外周面をなす外戸尻壁４５ｊに当接させて外摺動片６６がビス止めされている。
【００５５】
内障子３の内召合せ片３５ｊ及び内規制片６２ｂと外障子４の外召合せ片４５ｉ及び外規制片６５ｃとは、内障子３と外障子４とにて開口１０ａが閉塞された状態にて、内召合せ片３５ｊ及び内規制片６２ｂと外側壁部３５ｉとの間に、外召合せ片４５ｉ及び外規制片６５ｃとが入り込むように形成されており、所謂煙返しをなしている。
【００５６】
また、内召合せ片３５ｊと外召合せ片４５ｉとの下にそれぞれ繋がるように設けられた内規制片６２ｂ及び外規制片６５ｃは、各々不燃性である鉄製の框側補強部材２７及び裏板６３に固定されているので、火炎等に晒されたとしても外れることはない。このため、建具１が火炎に晒されて、内障３または外障子４の框体３５、４５及び枠体１０が軟化して、内障子３または外障子４が吊り下げ金具２３とフック金具３６とにより吊り下げられて下端側の間隔が広がる方向（見込み方向）に移動する場合であっても、内規制片６２ｂと外規制片６５ｃとが係合することにより室内外方向に貫通する隙間が生じない。このとき、加熱する火炎が室内側であっても室外側であっても、下枠１２に設けられた中継部材２２は残存する。このため、たとえ下枠１２及び下框３２、４２が加熱されて軟化しても内障子３または外障子４は中継部材２２により見込み方向の移動が規制されている。このため、中継部材２２により規制された一方の障子３、４に他方の障子３、４が内規制片６２ｂ及び外規制片６５ｃに、見込み方向の移動が規制されるので、内障子３と外障子４との見込み方向の間隔が維持される。
【００５７】
本実施形態の建具１によれば、障子３、４が開口１０ａを閉塞しているときには、開口１０ａの四周において枠体１０と障子３、４の上框３１、４１、下框３２、４２及び戸先框３３、４３とが係合している。すなわち、障子３、４を閉じた際に障子３、４の枠体１０に沿う部位と枠体１０とが枠体１０の長手方向に沿う広い範囲で係合しているので、枠体１０と障子３、４との間では隙間が生じない。また、障子３、４が有する召合せ框３４、４４同士は、見込み方向において互いに離れる方向への移動が、合成樹脂製の戸先框３４、４４より剛性が高い内規制部材６２と外規制部材６５とにて規制されているので、単に召合せ框３４、４４同士が係合する場合より、召合せ框３４、４４同士の間に隙間は生じにくい。このため、たとえ、障子３，４に風圧等が作用したとしても、召し合わせ框３４、４４間に隙間が生じにくい建具１を提供することが可能である。
【００５８】
また、引き違い障子の召合せ框３４、４４同士が、クレセント錠５０及び内規制部材６２と外規制部材６５とにより見込み方向の移動が規制されるので、風圧にてより隙間が生じ難い建具を１提供することが可能である。特に、クレセント錠５０及び内規制部材６２と外規制部材６５の間隔が隔てられているので、長い召合せ框３４、４４の間を効果的に隙間が生じることを防止することが可能である。
【００５９】
また、枠体１０に設けられた鉄製の枠側補強部材２０により、たとえ火炎等に晒されて加熱されても合成樹脂製の枠体１０をより長く留めて、枠体１０と障子３、４との間に隙間が生じることを抑えることが可能である。また、内規制部材６２及び外規制部材６５も鉄製なので、たとえ火炎等に晒されて加熱されても、召合せ框３４、４４同士の間も隙間が生じることを抑えることが可能である。
【００６０】
また、建具１が火炎等に晒されて加熱された場合には、障子３、４が収容された室内側溝部１１ｉ及び室外側溝部１１ｊの内側に設けられた熱膨張性黒鉛３８が発泡することにより、内障子３と室内側溝部１１ｉとの、外障子４と室外側溝部１１ｊとの係合状態が維持され、また、障子３、４は、枠体１０に設けられた吊り下げ金具２３にフック金具３６が係合するので枠体１０に吊り下げられる。このため、建具１が火災等により加熱されて枠体１０及び障子３、４の外周部が溶融されても障子３、４を保持することが可能である。
【００６１】
また、建具１が火炎に晒されて加熱されたときには、例えば、室外側の火炎により加熱された場合には、中央壁部１１ｅ、１２ｅの、室外側に位置する右枠１４側の部位が溶融されたとしても、アルミダイカスト製の中継部材２２により中央壁部１１ｅ、１２ｅの、室内側に位置する左枠１３側の部位が溶融することを防止することが可能である。また、室内側の火炎により加熱された場合には、中央壁部１１ｅ、１２ｅの、室内側に位置する左枠１３側の部位が溶融されたとしても、アルミダイカスト製の中継部材２２により中央壁部１１ｅ、１２ｅの、室外側に位置する右枠１４側の部位が溶融することを防止することが可能である。このため、室内側及び室外側のいずれの側から火炎に晒されたとしても、アルミダイカスト製の中継部材２２が残存して、召合せ部１０ｂの上部及び下部において室内外が貫通することを防止することが可能である。そして、中継部材２２が残存するので、中継部材２２に対し火元と反対側に位置する障子３、４の火元側への移動が規制される。このため、召合せ框３４、４４同士にて離れる方向への移動を規制する内規制部材６２及び外規制部材６５が召合せ框３３、４４の下端側に設けられていると、中継部材２２に規制された一方の障子３、４に、火元側に位置する他方の障子３、４が内規制部材６２及び外規制部材６５により規制されるので、召合せ框３４、４４間の間隔が開くことなく維持される。このため、火災などにて加熱されても、召し合わせ框３４、４４間に隙間がより生じにくい建具１を提供することが可能である。
【００６２】
上記実施形態においては、吊り下げ金具２３及び吊り下げ金具２３と係合するフック金具３６を内障子３及び外障子４の見付け方向の両端となる召合せ部１０ｂと戸先部分とに設ける例について説明したが、これに限らず、召合せ部１０ｂと、召合せ部１０ｂより戸先側の位置とに設けられていればよい。
【００６３】
上記実施形態においては、枠側補強部材２０及び框側補強部材２７を不燃性である金属製としたが、鉄・ステンレス等の不燃性である金属等は、もちろんのこと、火災によりまず表面が炭化し、炭化した表面の断熱効果により内部に燃え進むことを遅らせる、例えば、ＭＤＦ・木材等のような難燃性の材料にて補強部材を構成しても構わない。
【００６４】
また、中継部材２２、吊り下げ金具２３、フック金具３６、係合部材２５、内規制部材６２及び外規制部材６５を不燃性である金属製としたが、鉄・ステンレス等の不燃性である金属はもちろんのこと、燃焼に時間がかかる難燃性の部材にて構成しても構わない。
【００６５】
また、上記実施形態においては、枠体１０を構成する上枠１１及び下枠１２が有する室内側溝部１１ｉに内障子３の上端部が収容されて、内障子３の見付け方向に移動し、室外側溝部１１ｊに外障子４の上端部が収容されて、外障子４の見付け方向に移動する建具１について説明したがこれに限るものではない。例えば、図１６に示すように、内障子３及び外障子４の上框３１、４１及び下框３２、４２に設けられた框側溝部３５ｇ、４５ｇに、上枠１１０及び下枠１２０と一体に設けられたレール１５０が挿入される建具１００であっても構わない。
【００６６】
この場合には、上枠１１０及び下枠１２０の召合せ部１０ｂにおいて、レール１５０が切除されており、分断された２本のレール１５０の一方側と他方側とをそれぞれ繋ぐ２つの中継本体部２２０ｂ、２２１ｂを有する中継部材２２０、２２１を用いる。この中継部材２２０、２２１は、２つの中継本体部２２０ｂ、２２１ｂと、２つの中継本体部２２０ｂ、２２１ｂ間を繋ぎ、中空部１１０ｋ、１２０ｋに設けられた補強部材２０に固定される連結固定部１１０ａ、１２０ａとが一体に形成されている。下枠１２０側の中継部材２２１における中継本体部２２０ｂの上端２２１ｃには、内障子３及び外障子４が有する戸車６０を支持するアルミニウム製のレール片１５１が嵌合されている。
【００６７】
そして、２つの中継本体部２２０ｂ、２２１ｂの互いに対向する部位に、熱膨張性黒鉛３８が設けられている。また、２つの中継本体部２２０ｂ、２２１ｂの間、すなわち熱膨張性黒鉛３８の間には、合成樹脂製の風止め部材２４０、２４１が設けられている。このため、召合せ部１０ｂが火炎に晒されたときに、合成樹脂製の風止め部材２４０が溶融したとしても熱膨張性黒鉛３８が発泡することにより隙間が生じることを防止することが可能である。
【００６８】
上記実施形態においては、面材を２枚の板ガラスを互いに間隔を隔てて対面させて一体に形成した複層ガラス７とした例について説明したが、面材は、１枚のガラス板であっても構わず、また、３枚以上の板ガラスを互いに間隔を隔てて対面させて一体に形成した複層ガラスであっても構わない。また、面材は、ガラスに限らず板状をなす内装材または外装材等であっても構わない。更に、枠体は面材を備えない、たとえばパネル材を構成する枠体であっても構わない。
【００６９】
なお、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００７０】
１  建具、２  躯体、３内障子、４  外障子、１０  枠体、１０ａ  開口、
１０ｂ  召合せ部、１１ｅ  中央壁部、１１ｉ  室内側溝部、１１ｊ  室外側溝部、
１１ｋ  中央中空部、１２ｅ  中央壁部、１２ｉ  室内側溝部、１２ｊ  室外側溝部、
１２ｋ  中央中空部、１３ｋ  中央中空部、２０  枠側補強部材、２２  中継部材、
２３  吊り下げ部材、３４  召合せ框、３６  フック金具、３８  熱膨張性黒鉛、
４４召合せ框、５０  クレセント錠、６２  内規制部材、６５  外規制部材６５
【図１】
2014122471.tif 000003
【図２】
2014122471.tif 000004
【図３】
2014122471.tif 000005
【図４】
2014122471.tif 000006
【図５】
2014122471.tif 000007
【図６】
2014122471.tif 000008
【図７】
2014122471.tif 000009
【図８】
2014122471.tif 000010
【図９】
2014122471.tif 000011
【図１０】
2014122471.tif 000012
【図１１】
2014122471.tif 000013
【図１２】
2014122471.tif 000014
【図１３】
2014122471.tif 000015
【図１４】
2014122471.tif 000016
【図１５】
2014122471.tif 000017
【図１６】
2014122471.tif 000018